(57)【特許請求の範囲】
【請求項１】
第１の閉磁路磁心に設けられた第１、第２の一次巻線と第１の二次巻線と、
前記第１の一次巻線に接続された第１の放電管と、前記第２の一次巻線に接続された第２の放電管と、を有する第１放電点灯回路と、第２の閉磁路磁心に設けられた第３、第４の一次巻線と前記第１の二次巻線へ直列に接続された第２の二次巻線と、前記第３の一次巻線に接続された第３の放電管と、前記第４の一次巻線に接続された第４の放電管と、を有する第２放電点灯回路と、を備え、
前記第１の閉磁路磁心は、第１の中脚と、前記第１の中脚の両側に位置する第１の外脚と第２の外脚と、前記第１の中脚と前記第１の外脚と連結する第１の連結脚と、前記第１の中脚と前記第２の外脚とを連結する第２の連結脚とを有し、
前記第２の閉磁路磁心は、第２の中脚と、前記第２の中脚の両側に位置する第３の外脚と第４の外脚と、前記第２の中脚と前記第３の外脚と連結する第３の連結脚と、前記第２の中脚と前記第４の外脚とを連結する第４の連結脚とを有し、
前記第１の一次巻線は前記第１の連結脚と前記第１の外脚とのいずれかに巻回され、前記第２の一次巻線は前記第２の連結脚と前記第２の外脚とのいずれかに巻回され、前記第１の二次巻線は前記第１の中脚に巻回され、前記第１、第２の一次巻線で発生する磁束が前記第１、第２の外脚および前記第１、第２の連結脚においては差動動作となるように、前記第１の一次巻線と前記第２の一次巻線が設けられ、
前記第３の一次巻線は前記第３の連結脚と前記第３の外脚とのいずれかに巻回され、前記第４の一次巻線は前記第４の連結脚と前記第４の外脚とのいずれかに巻回され、前記第２の二次巻線は前記第２の中脚に巻回され、前記第３、第４の一次巻線で発生する磁束が前記第３、第４の外脚および前記第３、第４の連結脚においては差動動作となるように、前記第３の一次巻線と前記第４の一次巻線が設けられ、
前記第１の二次巻線で発生する電流と前記第２の二次巻線で発生する電流は同一方向となるように、前記第１の二次巻線と前記第２の二次巻線が接続された、放電点灯システム。
【請求項２】
前記第１、前記第２の一次巻線の巻回数を同一とするとともに、前記第３、前記第４の一次巻線の巻回数を同一とし、前記第１の二次巻線の巻回数と前記第２の二次巻線の巻回数とを同一とした請求項１記載の放電点灯システム。
【請求項３】
前記第１、第２の閉磁路磁心は、それぞれ第１、第２のＥ字型磁心と第１、第２のＩ字型磁心とからなり、
前記第１、第２の一次巻線は前記第１のＩ字型磁心に巻回され、
前記第１の二次巻線は前記第１のＥ字型磁心の中脚に巻回され、
前記第３、第４の一次巻線は前記第２のＩ字型磁心に巻回され、
前記第２の二次巻線は前記第２のＥ字型磁心の中脚に巻回された、
請求項１記載の放電点灯システム。
【請求項４】
前記第１の閉磁路磁心の前記第１の中脚に巻回された補助巻線をさらに備えた、
請求項１記載の放電点灯システム。
【請求項５】
第１から第Ｎまでの複数の閉磁路磁心のそれぞれに設けられた第２ｎ−１、第２ｎの一次巻線と第ｎの二次巻線と、
前記第２ｎ−１の一次巻線に接続された第２ｎ−１の放電管と、前記第２ｎの一次巻線に接続された第２ｎの放電管と、を有する第ｎ放電点灯回路と、を備え、
前記第ｎの閉磁路磁心は、第ｎの中脚と、前記第ｎの中脚の両側に位置する第２ｎ−１の外脚と第２ｎの外脚と、前記第ｎの中脚と前記第２ｎ−１の外脚と連結する第２ｎ−１の連結脚と、前記第ｎの中脚と前記第２ｎの外脚とを連結する第２ｎの連結脚とを有し、
前記第２ｎ−１の一次巻線は前記第２ｎ−１の連結脚と前記第２ｎ−１の外脚とのいずれかに巻回され、前記第２ｎの一次巻線は前記第２ｎの連結脚と前記第２ｎの外脚とのいずれかに巻回され、前記第ｎの二次巻線は前記第ｎの中脚に巻回され、前記第２ｎ−１、第２ｎの一次巻線で発生する磁束が前記第２ｎ−１、第２ｎの外脚および前記第２ｎ−１、第２ｎの連結脚においては差動動作となるように、前記第２ｎ−１の一次巻線と前記第２ｎの一次巻線が設けられ、
第１から第Ｎまでの前記二次巻線で発生する電流は同一方向となるように、それぞれの前記二次巻線が接続された、放電点灯システム。
【発明の詳細な説明】
【技術分野】
【０００１】
本発明は各種電子機器等に用いるディスプレイ装置における多灯の放電点灯システムに関する。
【背景技術】
【０００２】
図１０を参照しながら従来の多灯の放電点灯システムについて説明する。冷陰極管放電点灯システム１においては、単一の電源２によってパネル照射用の複数の放電管３が同時に点灯する。
【０００３】
近年、液晶ディスプレイには、画面の大型化に伴いパネル照射用の放電管３を多数本点灯することや、各放電管３の高輝度対応のための高電圧化が求められている。そして、放電管３を多数本使用する放電点灯システムにおいては、各放電管３における輝度を均等化する必要がある。このバランスが正確にとれない場合には、一つの液晶ディスプレイ上に高輝度部分と低輝度部分とが輝度ムラとして現れ、非常に見難い画面となる恐れがある。
【０００４】
各放電管３のインピーダンスバラツキはこのような輝度ムラの発生の一因となる。そこで、いわゆる集中給電による多点灯方式を採用する場合、バランスコイル４が放電点灯用回路内へ組み入れられている。バランスコイル４はインピーダンスバラツキを吸収しそれぞれの放電管３への供給電力の平衡を保つために用いられ、放電管３の輝度ムラを抑制する。このような放電点灯システムは例えば特許文献１に開示されている。
【０００５】
しかしながら、バランスコイル４を用いる場合、１単位の放電点灯用回路において放電管３の本数Ｎに対してＮ−１個のバランスコイル４が必要となる。バランスコイル４の員数を増加すると、電力変換時の伝送損失が増加したり、部品点数や実装面積が増加したり、部品点数増加により生産コストが増加したりする。
【特許文献１】特開２００４−３３５４４３号公報
【発明の開示】
【０００６】
本発明は、部品点数増を抑えた放電点灯システムである。本発明の放電点灯システムは、特に、第１の閉磁路磁心は、第１の中脚と、第１の中脚の両側に位置する第１の外脚と第２の外脚と、前記第１の中脚と前記第１の外脚と連結する第１の連結脚と、前記第１の中脚と前記第２の外脚とを連結する第２の連結脚とを有し、第２の閉磁路磁心は、第２の中脚と、前記第２の中脚の両側に位置する第３の外脚と第４の外脚と、前記第２の中脚と前記第３の外脚と連結する第３の連結脚と、前記第２の中脚と前記第４の外脚とを連結する第４の連結脚とを有し、第１の一次巻線は前記第１の連結脚と前記第１の外脚とのいずれかに巻回され、第２の一次巻線は前記第２の連結脚と前記第２の外脚とのいずれかに巻回され、第１の二次巻線は前記第１の中脚に巻回され、前記第１、第２の一次巻線で発生する磁束が前記第１、第２の外脚および前記第１、第２の連結脚においては差動動作となるように、前記第１の一次巻線と前記第２の一次巻線が設けられ、第３の一次巻線は前記第３の連結脚と前記第３の外脚とのいずれかに巻回され、第４の一次巻線は前記第４の連結脚と前記第４の外脚とのいずれかに巻回され、第２の二次巻線は前記第２の中脚に巻回され、前記第３、第４の一次巻線で発生する磁束が前記第３、第４の外脚および前記第３、第４の連結脚においては差動動作となるように、前記第３の一次巻線と前記第４の一次巻線が設けられ、前記第１の二次巻線で発生する電流と前記第２の二次巻線で発生する電流は同一方向となるように、前記第１の二次巻線と前記第２の二次巻線が接続されている。この構成により、第１の二次巻線と第２の二次巻線で構成されたループ内に流れる電流は平均化される。この電流の平均化は、複数の放電管の輝度の均一化に寄与する。また２つの一次巻線と１つの二次巻線とで構成されるバランスコイルの個数が放電管の個数の半分になり、部品点数が削減される。
【発明を実施するための最良の形態】
【０００７】
（実施の形態１）
図１は本発明の実施の形態１における放電点灯システムの回路図である。バランスコイル７は第１の一次巻線８と第２の一次巻線９（以下、一次巻線８、９）と第１の二次巻線１０（以下、二次巻線１０）とを有する。同様に、バランスコイル１２は第３の一次巻線１８と第４の一次巻線１９（以下、一次巻線１８、１９）と第２の二次巻線１３（以下、二次巻線１３）とを有する。バランスコイル７、１２はこの回路におけるトランス部である。
【０００８】
一次巻線８、９のそれぞれの一端は第１の放電管６Ａ、第２の放電管６Ｂ（以下、放電管６Ａ、６Ｂ）に接続され、他端は接地端１１へ接続されている。同様に、一次巻線１８、１９のそれぞれの一端は第３の放電管６Ｃ、第４の放電管６Ｄ（以下、放電管６Ｃ、６Ｄ）に接続され、他端は接地端１１へ接続されている。また複数の放電管６Ａ〜６Ｄの、一次巻線８、９、１８、１９に接続された側と反対の他端は同一の電源５に接続されている。すなわち放電管６Ａ〜６Ｄは並列に接続されている。二次巻線１０は二次巻線１３と直列接続されてループを形成している。一次巻線８、９と、二次巻線１０と、放電管６Ａ、６Ｂとは第１放電点灯回路を構成している。また一次巻線１８、１９と、二次巻線１３と、放電管６Ｃ、６Ｄとは第２放電点灯回路を構成している。
【０００９】
図２は、この放電点灯システムの接続図であり、放電管６Ａ、６Ｂに接続されたバランスコイル７における、一次巻線８、９および二次巻線１０の配置状態を示している。
【００１０】
第１の閉磁路磁心１４は第１の中脚１５（以下、中脚１５）と、第１の外脚１６、第２の外脚１７（以下、外脚１６、１７）と、第１の連結脚４６、第２の連結脚４７とを有する。第１の連結脚４６は中脚１５と外脚１６とを連結し、第２の連結脚４７は中脚１５と外脚１７とを連結している。一次巻線８は連結脚４６に巻回され、一次巻線９は連結脚４７に巻回されている。あるいは、一次巻線８が外脚１６に巻回され、一次巻線９が外脚１７に巻回されていてもよい。
【００１１】
そして一次巻線８により発生する磁束Φ１と一次巻線９により発生する磁束Φ２とが逆方向になるよう、一次巻線８、９の巻回方向もしくは接続が設定されている。すなわち、一次巻線８、９は差動動作するよう構成されている。
【００１２】
同様に、第２の閉磁路磁心５４は第２の中脚３０（以下、中脚３０）と、第３の外脚５６、第４の外脚５７（以下、外脚５６、５７）と、第３の連結脚５８、第４の連結脚５９とを有する。第３の連結脚５８は中脚３０と外脚５６とを連結し、第４の連結脚５９は中脚５５と外脚５７とを連結している。一次巻線１８は連結脚５８に巻回され、一次巻線１９は連結脚５９に巻回されている。あるいは、一次巻線１８が外脚５６に巻回され、一次巻線１９が外脚５７に巻回されていてもよい。
【００１３】
そして一次巻線１８により発生する磁束Φ５と一次巻線１９により発生する磁束Φ６とが逆方向になるよう、一次巻線１８、１９の巻回方向もしくは接続が設定されている。すなわち、一次巻線１８、１９は差動動作するよう構成されている。
【００１４】
上述のように、二次巻線１０は二次巻線１３と直列接続されてループを形成している。そして二次巻線１０において発生する電流の方向と二次巻線１３において発生する電流の方向とが同一方向となるよう、二次巻線１０、１３の巻回方向もしくは接続が設定されている。
【００１５】
このような構成により、二次巻線１０に励起される磁束Φ３は、一次巻線８、９で発生する磁束Φ１、Φ２に対して同一の方向となる。同様に、二次巻線１３に励起される磁束Φ４は、一次巻線１８、１９で発生する磁束Φ５、Φ６に対して同一の方向となる。
【００１６】
磁束Φ１、Φ２が図２に示す方向とは逆であり、磁束Φ５、Φ６が図２に示す方向と同一である場合には、磁束Φ３は図２に示す方向とは逆となり、磁束Φ４は図２に示す方向と同一方向とするように巻回方向もしくは接続を設定すればよい。
【００１７】
言い換えれば、一次巻線８で発生する磁束Φ１と一次巻線９で発生する磁束Φ２が二次巻線１０を巻回した中脚１５に（１）式の関係で流れる。そして磁束Φ３により二次巻線１０に電流が発生する。そしてバランスコイル１２においてもバランスコイル７の場合と同様に二次巻線１３に電流が発生する。
【００１８】
Φ３＝Φ１＋Φ２    ・・・（１）
二次巻線１０と二次巻線１３とは直列にループ状に接続されている。そのためこのループ内に流れる電流は平均化される。この平均化された電流によって、磁束Φ３と磁束Φ４も平均化される。その結果、磁束Φ１、Φ２、Φ５、Φ６が平均化され、複数の放電管６Ａ〜６Ｄの輝度の均一化に寄与する。
【００１９】
つまり本実施の形態では、一次巻線８、９、１８、１９によりバランスコイル７、１２の個々のトランス部における輝度の安定化を図る。それと同時に、二次巻線１０、１３のループ状接続により複数のトランス部間における輝度の安定化を図る。なおトランス部の数は説明の簡易性を考慮して二つの場合を例に説明したが、トランス部の数に特に限定されない。
【００２０】
次に本実施の形態により多灯の放電点灯システムの作用および効果を説明する。本実施の形態の放電点灯システムでは、放電管６Ａ〜６Ｄの特性バラツキ、特にインピーダンスバラツキに起因する放電管６Ａ〜６Ｄへ流入する放電電流のバラツキが抑えられる。そのため放電管６Ａ〜６Ｄの輝度バラツキを抑えることができる。
【００２１】
まず図３を用いて、バランスコイル７単独における効果について詳しく説明する。図３は図１に示す放電点灯システムのトランス部であるバランスコイル７の接続図である。
【００２２】
バランスコイル７の閉磁路は、図３に示すように第１のＥ字形状磁心２３と第１のＩ字形状磁心２４とを磁気ギャップ２５を介することによって形成されている。これはＥ字形状磁心２３とＩ字形状磁心２４とにおける磁気飽和を起こしにくくするためである。なお磁気ギャップ２５を形成せず、一次巻線８、９のインダクタンス値、すなわちインピーダンス値を高くすることにより放電管６Ａ、６Ｂのインピーダンス値の比率を相対的に低下させてもよい。磁気ギャップ２５を設けることに関しては状況に応じ選択すればよい。なお図２に示すように、バランスコイル１２の閉磁路も同様に、第２のＥ字形状磁心２９と第２のＩ字形状磁心６０とによって形成されている。
【００２３】
放電管６Ａと放電管６Ｂとのそれぞれの一端は電源５に対して並列に接続され、放電管６Ａ、６Ｂの他端はそれぞれ第１、第２の一次巻線８、９に接続されている。
【００２４】
ここで、放電管６Ａ、６Ｂのインピーダンスは一次巻線８、９のインピーダンスに比較してできるだけ小さな値であることが望ましい。これにより、放電管６Ａ、６Ｂのインピーダンスが一致しなくとも、電源５と放電管６Ａと一次巻線８と接地端１１とを結ぶ回路と、電源５と放電管６Ｂと一次巻線９と接地端１１とを結ぶ回路とのインピーダンス差を比較的小さく抑えることができる。つまり、放電管６Ａに流入する放電電流２６と、放電管６Ｂに流入する放電電流２７との差が小さくなり、放電管６Ａと放電管６Ｂとの輝度に差が現れにくくなる。
【００２５】
放電管６Ａ、６Ｂのインピーダンスは量産時のバラツキによって完全に一致させることは困難である。しかしながら、一次巻線８と一次巻線９とを略同等の巻回数に構成することにより、一次巻線８と一次巻線９とのインピーダンス値を一致させることはできる。これにより、一次巻線８と放電管６Ａとからなる回路部分と、一次巻線９と放電管６Ｂとからなる回路部分とのインピーダンス値を近似させることができる。さらに、一次巻線８で発生する磁束Φ１と一次巻線９で発生する磁束Φ２が差動方向となるように、一次巻線８、９が巻回もしくは接続されている。
【００２６】
また、二次巻線１０は図２に示すようにバランスコイル１２の二次巻線１３に直列接続されており、しかも巻数は一次巻線８、９に比較して非常に少なく、低インピーダンスである。そのため、ショートリングに近いものを形成していることになる。
【００２７】
例えば、放電管６Ｂのインピーダンスが放電管６Ａに対して大きい場合、これらの点灯時初期の微小時間において放電電流２６は放電電流２７よりも大きな値となる。その結果、放電管６Ａの輝度は放電管６Ｂの輝度よりも高くなる。そして一次巻線８で発生する磁束Φ１と一次巻線９で発生する磁束Φ２との間には（２）式の関係が成立する。
【００２８】
Φ１＞Φ２    ・・・（２）
このとき図４に示すように、一次巻線８で発生する磁束Φ１と一次巻線９で発生する磁束Φ２とが差動方向となっていることにより、それぞれがＡ点で合流し、中脚１５にはΦ１＋Φ２の磁束が通る。
【００２９】
次にバランスコイル１２の二次巻線１３と直列接続されている二次巻線１０には磁束（Φ１＋Φ２）によって励起される電流が発生する。それと同時に、磁束（Φ１＋Φ２）を打ち消そうとする磁束（Φ１１＋Φ２２）が発生する。
【００３０】
磁束（Φ１１＋Φ２２）は打ち消しあうために発生することから（３）式の関係が概ね成立する。
【００３１】
Φ１＋Φ２＝Φ１１＋Φ２２    ・・・（３）
ここで、Ｅ字形状磁心２３とＩ字形状磁心２４とが中脚１５を軸としてほぼ対称形で、磁束Φ１と磁束Φ２が通過する磁路の磁気抵抗が近似していると仮定する。この場合、Ａ点から磁束Φ１とは逆方向である一次巻線８の方向、および磁束Φ２とは逆方向である一次巻線９の方向を見た場合には、磁気抵抗はほぼ同じ値を示す。
【００３２】
よって、Ａ点においてΦ１１＋Φ２２の磁束は等分に分流される。つまりＡ点から一次巻線８の方向へ向かう磁束Φ１’、一次巻線９の方向へ向かう磁束Φ２’はそれぞれ（Φ１１＋Φ２２）／２となる。
【００３３】
前述のように（２）式、（３）式の関係は成立していることから、絶対値として（４）式、（５）式の関係が満たされる。すなわち図３に示す一次巻線８を通る磁束は初期状態に比べ減少方向となり、反対に、一次巻線９を通る磁束は増加方向となる。
【００３４】
Φ１＞（Φ１＋Φ２）／２＝Φ１’    ・・・（４）
Φ２＜（Φ１＋Φ２）／２＝Φ２’    ・・・（５）
これは放電管６Ａへ流れる放電電流２６を減少させ、放電管６Ｂへ流れる放電電流２７を増加させることを意味する。つまり、一次巻線８と一次巻線９とに鎖交する磁束を均等化させることにより放電電流も均等化する。以上の動作により、放電電流２６と放電電流２７とはほぼ同じ値となる方向へ収斂することとなり、結果としてバランスコイル７へ接続した放電管６Ａ、６Ｂの輝度はほぼ同等となる。
【００３５】
さらに、バランスコイル７には二次巻線１０をＥ字形状磁心２３の中脚１５へ巻回配置している。ここで図２に示すように、バランスコイル１２を構成するＥ字形状磁心２９の中脚３０に巻回配置された二次巻線１３と、二次巻線１０とを直列に接続する。そして二次巻線１０と二次巻線１３とを略同等の巻回数で略同等のインダクタンス値とする。さらに、一次巻線８、９に対する二次巻線１０と、一次巻線１８、１９に対する二次巻線１３との位置関係および巻回方向を一致させる。この構成により、バランスコイル７へ接続された放電管６Ａ、６Ｂの輝度と、バランスコイル１２へ接続された放電管６Ｃ、６Ｄとの輝度はほぼ同等となる。
【００３６】
例えばバランスコイル７に接続された放電管６Ａ、６Ｂのインピーダンスが、バランスコイル１２に接続された放電管６Ｃ、６Ｄに対して低くなっている状態を仮定する。この場合、点灯時初期の微小時間において、一次巻線８、９により発生する磁束Φ１、Φ２の絶対値は、一次巻線１８、１９により発生する磁束Φ５、Φ６に比較して大きくなる。このとき、磁束Φ１、Φ２の合流により発生する磁束Φ３は、磁束Φ５、Φ６の合流により発生する磁束Φ４より大きな値となる。
【００３７】
また二次巻線１０と二次巻線１３とは直列に接続されている。また図５に示すように、磁束Φ３と磁束Φ４によって励起される電流３３、３４が同一方向となるよう、二次巻線１０と二次巻線１３とは接続されている。そして、二次巻線１０と二次巻線１３とを略同等の巻回数で略同等のインダクタンス値としている。そのため二次巻線１０と二次巻線１３とで構成する二次側ループ３５のトータルのインピーダンスは二次巻線１０の概ね２倍となっている。
【００３８】
また、二次巻線１０と二次巻線１３とを含む二次側ループ３５に流れる電流は、インピーダンスが二次巻線１０、１３によって２倍になる。そのため、電流３３の大きさをＩ３、電流３４の大きさをＩ４とすると、その平均値は（Ｉ３＋Ｉ４）／２となる。Ｉ３、Ｉ４はそのまま磁束Φ３、Φ４に置き換えることができる。そのため、二次巻線１０と二次巻線１３とを流れる電流により磁束Φ３、Φ４を打ち消そうとして発生する磁束Φ３’およびΦ４’は、磁束Φ３、Φ４の平均値である（Φ３＋Φ４）／２となる。
【００３９】
当初の仮定としてΦ３＞Φ４としていることから、式（６）、式（７）の関係が満たされる。すなわち、図５に示す二次巻線１０を通る磁束は初期状態に比べ減少方向となり、反対に二次巻線１３を通る磁束は増加方向となる。
【００４０】
Φ３＞（Φ３＋Φ４）／２＝Φ３’    ・・・（６）
Φ４＜（Φ３＋Φ４）／２＝Φ４’    ・・・（７）
このように磁束Φ３、Φ４が増減して磁束が均一化する。この働きで、バランスコイル７における一次巻線８、９により発生する磁束Φ１’、Φ２’と、バランスコイル１２における一次巻線１８、１９により発生する磁束Φ５’、Φ６’もまた均一化される。その結果、放電管６Ａ、６Ｂ、６Ｃ、６Ｄの輝度はほぼ同等にすることができる。
【００４１】
図２に示す例では、簡略化のために２つのバランスコイル７、１２を利用したもので説明したが、特にバランスコイルの個数に制限はない。複数のバランスコイルを利用し、それぞれの二次側を直列接続とすることによって多灯の放電点灯システムへの適用が可能である。
【００４２】
このように、個々のバランスコイル７、１２の二次巻線１０、１３が、個々のバランスコイル７、１２の一次巻線８、９と一次巻線１８、１９の均衡を保つ。同時に、二次巻線１０、１３どうしが複数のバランスコイル７、１２の均衡も保つ機能を有している。
【００４３】
以上の方法によって、バランスコイルＮ個に対し２Ｎ本の放電管の点灯が可能となり、多数本の放電管を点灯する場合の輝度ムラを防止することができる。また電力変換時の伝送損失の増加、部品点数や実装面積の増加、および部品点数増加による生産コスト増を抑制することが可能となる。
【００４４】
なお、図６に示すように、電源２０を二次巻線１０、１３と直列に設けることも可能である。この接続方法では、バランスコイル７における一次巻線８、９、二次巻線１０はいずれも高電位となる。そのため、一次巻線８、９と二次巻線１０との絶縁を維持するための配慮や処理が不要となり、それらの距離を小さくしてバランスコイル７を小型化することもできる。バランスコイル１２における一次巻線１８、１９、二次巻線１３についても同様である。
【００４５】
（実施の形態２）
図７は本発明の実施の形態２における放電点灯システムの接続図である。複数のバランスコイル４０のそれぞれは、第１の一次巻線４１と第２の一次巻線４２（以下、一次巻線４１、４２）と、二次巻線４５とを有する。それぞれの一次巻線４１の一端には電源３８が接続され、一次巻線４２の一端には電源３９が接続されている。また一次巻線４１の他端には放電管４３の一端が接続され、一次巻線４２の他端には放電管４４の一端が接続されている。そして放電管４３の他端と放電管４４の他端とが接続されている。電源３８と電源３９とは逆位相となっている。
【００４６】
二次巻線４５はすべて直列に接続されている。ここでも実施の形態１と同様に、一次巻線４１と一次巻線４２は磁束の発生方向が逆となる差動動作となるよう設定されている。また二次巻線４５の巻回方向や接続は、複数の二次巻線４５によって構成されるループにおいて電流の発生方向が同一となるように設定されている。
【００４７】
このような回路構成でも、放電管４３と放電管４４とのインピーダンスバラツキにより点灯時初期の微小時間において磁束Φ７と磁束Φ８とは不平衡状態となる。しかしながら実施の形態１と同様の働きにより、磁束Φ７と磁束Φ８とは均等化され、放電管４３と放電管４４とへ流入する放電電流もまた均等化される。その結果、放電管４３と放電管４４の輝度もまた均等化される。
【００４８】
この回路では、放電管４３と放電管４４の一組がＵ字管形状に準じた擬似Ｕ字管形状を構成している。そのため、放電電流が均等化できていない場合は輝度ムラだけにとどまらず、ちらつきも発生することとなる。しかしながら、バランスコイル４０の一次巻線４１と一次巻線４２とが差動動作することによりそれらを防止することが可能となる。
【００４９】
また、二次巻線４５が複数のバランスコイル４０のそれぞれに設けられ、それらが全て直列に接続されているため、複数のバランスコイル４０間に亘って放電電流が均等化できる。そのため、バランスコイル４０の個数と同じ組数の、放電管４３と放電管４４とからなる擬似Ｕ字管形状放電管を、輝度ムラやちらつきがない安定した状態に維持することが可能である。
【００５０】
（実施の形態３）
図８は本発明の実施の形態３における放電点灯システムの接続図である。実施の形態１の図２と異なる点は、電源４８が一次巻線８、９、１８、１９の一端に接続され、一次巻線８、９、１８、１９の他端は放電管６Ａ〜６Ｄの一端にそれぞれ接続され、放電管６Ａ〜６Ｄの他端が接地されていることである。すなわち、実施の形態１の図２では、電源５が放電管６Ａ〜６Ｄのバランスコイル７、１２とは反対側の端部に接続されている。一方、図８では電源４８がバランスコイル７、１２を介して放電管６Ａ〜６Ｄに接続されている。
【００５１】
一般に放電管６Ａ〜６Ｄは、グランド電位との間に浮遊容量４９を有している。浮遊容量４９は放電管６Ａ〜６Ｄのインピーダンスばらつきとともに、放電電流の安定化に対して弊害を有する要素である。そこでバランスコイル７、１２を介して電源４８を放電管６Ａ〜６Ｄに接続する。これにより、バランスコイル７、１２の一次巻線８、９、１８、１９を流れる電流は、放電管６Ａ〜６Ｄを流れる電流と、浮遊容量４９により分散される電流とを含む。
【００５２】
そのため、一次巻線８、９、１８、１９に流れる電流には、放電管６Ａ〜６Ｄと浮遊容量４９とを含む負荷全体が反映され、放電管６Ａ〜６Ｄにはより安定した放電電流が供給できる。
【００５３】
また、この効果は個々のバランスコイル７、１２においてのみに適用できる効果ではなく、複数の一次巻線間に亘る効果でもある。
【００５４】
さらに放電管６Ａ〜６Ｄの輝度を安定化するために、図９に示すようにバランスコイル７の中脚１５に異常検出用の補助巻線５１を設けてもよい。補助巻線５１は異常検出回路（図示せず）に接続され、この異常検出回路によって駆動される制御回路（図示せず）を放電点灯回路に接続することもできる。
【００５５】
補助巻線５１は、バランスコイル１２の中脚３０にも設けてもよいが、両方のバランスコイル７、１２に設けなくてもよい。放電点灯回路内の複数のバランスコイル７、１２は二次巻線１０、１３によるループでリンク状態にある。そのため、複数のバランスコイル７、１２のうちの一つに設けることでも、異常検出することができる。
【産業上の利用可能性】
【００５６】
本発明は、放電点灯システムにおいて輝度ムラのない安定した発光状態を有し、各種ディスプレイ装置において有用である。
【図面の簡単な説明】
【００５７】
【図１】本発明の実施の形態１による放電点灯システムの回路図
【図２】図１に示す放電点灯システムの接続図
【図３】図１に示す放電点灯システムのトランス部の接続図
【図４】図３に示すトランス部の磁束の流れを示す接続図
【図５】図１に示す放電点灯システムのトランス間の電流を示す接続図
【図６】図１に示す放電点灯システムにおいて電源の接続を変更した接続図
【図７】本発明の実施の形態２による放電点灯システムの接続図
【図８】本発明の実施の形態３による放電点灯システムの接続図
【図９】本発明の実施の形態３による放電点灯システムの他のトランス部の接続図
【図１０】従来の放電点灯回路の接続図
【符号の説明】
【００５８】
５，２０，３８，３９，４８    電源
６Ａ，６Ｂ，６Ｃ，６Ｄ，４３，４４    放電管
７，１２，４０    バランスコイル
８，４１    第１の一次巻線（一次巻線）
９，４２    第２の一次巻線（一次巻線）
１０    第１の二次巻線（二次巻線）
１１    接地端
１３    第２の二次巻線（二次巻線）
１４    第１の閉磁路磁心
１５    第１の中脚（中脚）
１６    第１の外脚（外脚）
１７    第２の外脚（外脚）
１８    第３の一次巻線（一次巻線）
１９    第４の一次巻線（一次巻線）
２３    第１のＥ字形状磁心（Ｅ字形状磁心）
２４    第１のＩ字形状磁心
２５    磁気ギャップ
２６，２７    放電電流
２９    第２のＥ字形状磁心（Ｅ字形状磁心）
３０    第２の中脚（中脚）
３３，３４    電流
３５    二次側ループ
４５    二次巻線
４６    第１の連結脚（連結脚）
４７    第２の連結脚（連結脚）
４９    浮遊容量
５１    補助巻線
５４    第２の閉磁路磁心
５６    第３の外脚（外脚）
５７    第４の外脚（外脚）
５８    第３の連結脚（連結脚）
５９    第４の連結脚（連結脚）
６０    第２のＩ字形状磁心
【図１】
0004784648.tif 000002
【図２】
0004784648.tif 000003
【図３】
0004784648.tif 000004
【図４】
0004784648.tif 000005
【図５】
0004784648.tif 000006
【図６】
0004784648.tif 000007
【図７】
0004784648.tif 000008
【図８】
0004784648.tif 000009
【図９】
0004784648.tif 000010
【図１０】
0004784648.tif 000011